(57)【要約】【課題】計器着陸装置（ＩＬＳ）のローカライザー装置のアンテナにおいて、アンテナ素子に着雪した雪を、風の影響を受けずに万遍なく融雪し除雪することができる、融雪機構を備えたアンテナを提供する。【解決手段】本発明のアンテナは、アンテナ素子をアンテナカバーで覆い、前記アンテナカバーと前記アンテナ素子との間に水を注入し、前記水によって前記アンテナカバー表面に着雪する雪を融雪して除雪する、融雪機構付きアンテナである。【選択図】      図１
2014175915.tif 000002
【特許請求の範囲】
【請求項１】
アンテナ素子をアンテナカバーで覆い、前記アンテナカバーと前記アンテナ素子との間に水を注入し、前記水によって前記アンテナカバー表面に着雪する雪を除雪する、融雪機構付きアンテナ。
【請求項２】
前記アンテナは略平行に並べられた棒状の前記アンテナ素子の列で構成され、前記アンテナカバーは前記アンテナ素子をそれぞれ覆う、請求項１記載の融雪機構付きアンテナ。
【請求項３】
前記アンテナカバーは繊維強化プラスチックを有する、請求項１または２記載の融雪機構付きアンテナ。
【請求項４】
前記水を前記アンテナカバー上部に設けたノズルから吐出して前記アンテナカバー表面に散水する、請求項１から３の内の１項記載の融雪機構付きアンテナ。
【請求項５】
前記ノズルは前記アンテナ素子よりも上側に設けられた、請求項４記載の融雪機構付きアンテナ。
【請求項６】
前記ノズルは前記アンテナカバー表面に向けた指向性を有する水を吐出する、請求項４または５記載の融雪機構付きアンテナ。
【請求項７】
前記水は温水を有する、請求項１から６の内の１項記載の融雪機構付きアンテナ。
【請求項８】
前記アンテナカバーの断面の外周は円周部を有する、請求項１から７の内の１項記載の融雪機構付きアンテナ。
【請求項９】
前記アンテナカバーの断面の外周は直線部を有する、請求項１から８の内の１項記載の融雪機構付きアンテナ。
【請求項１０】
前記アンテナカバー表面は凹凸を有する、請求項１から９の内の１項記載の融雪機構付きアンテナ。
【発明の詳細な説明】
【技術分野】
【０００１】
本発明は、融雪機構を備えたアンテナに関し、特に計器着陸装置（Ｉｎｓｔｒｕｍｅｎｔ  Ｌａｎｄｉｎｇ  Ｓｙｓｔｅｍ、ＩＬＳ）のローカライザー装置のアンテナにおいて、着雪の影響を受けにくい融雪機構を備えたアンテナに関する。
【背景技術】
【０００２】
計器着陸装置（Ｉｎｓｔｒｕｍｅｎｔ  Ｌａｎｄｉｎｇ  Ｓｙｓｔｅｍ、以下、ＩＬＳと略す）のローカライザー装置のアンテナは、図６に示すように、アンテナ１０の中央部や周辺部などに配置した散水パイプ１２の先端に取り付けた半円形などのノズル１３により水１４を散水することで、アンテナ素子１１に付着した雪を溶かして除雪している。このような融雪機構を備えたアンテナが、特許文献１に開示されている。
【先行技術文献】
【特許文献】
【０００３】
【特許文献１】特開昭６３−２０８３０５号公報
【発明の概要】
【発明が解決しようとする課題】
【０００４】
しかしながら、特許文献１に開示された融雪機構を備えたアンテナには、以下の問題がある。すなわち、アンテナが強風にさらされると、散水が風にあおられてアンテナ素子まで水が届かない場合が生じる。その結果、全てのアンテナ素子に万遍なく水を掛けることができず、部分的に雪が融けずに残ってしまう。部分的な着雪の影響でローカライザー装置が機能せず、ＩＬＳの運用停止につながる場合が生じる。
【０００５】
本発明は、上記の問題に鑑みてなされたものであり、その目的は、強風などの気象の影響を受けにくく、全てのアンテナ素子を万遍なく融雪し除雪することを可能とする、融雪機構付きアンテナを提供することにある。
【課題を解決するための手段】
【０００６】
本発明のアンテナは、アンテナ素子をアンテナカバーで覆い、前記アンテナカバーと前記アンテナ素子との間に水を注入し、前記水によって前記アンテナカバー表面に着雪する雪を除雪する、融雪機構付きアンテナである。
【発明の効果】
【０００７】
本発明の融雪機構付きアンテナによれば、アンテナ素子に着雪した雪を、風などの気象の影響を受けずに万遍なく融雪し除雪することができ、ＩＬＳの安定した運用に資することができる。
【図面の簡単な説明】
【０００８】
【図１】本発明の実施形態の融雪機構付きアンテナの構成を示す図である。
【図２】本発明の実施形態の融雪機構付きアンテナのアンテナ素子部の断面構成を示す図である。
【図３】本発明の実施形態の融雪機構付きアンテナの構成を示す図である。
【図４】本発明の実施形態の融雪機構付きアンテナのアンテナ素子部の断面構成を示す図である。
【図５】本発明の実施形態の融雪機構付きアンテナのアンテナ素子部の断面構成を示す図である。
【図６】特許文献１の融雪機構付きアンテナの構成を示す図である。
【発明を実施するための形態】
【０００９】
以下、図を参照しながら、本発明の実施形態を詳細に説明する。但し、以下に述べる実施形態には、本発明を実施するために技術的に好ましい限定がされているが、発明の範囲を以下に限定するものではない。
【００１０】
図１は、本発明の実施形態の融雪機構付きアンテナ１の構成を示す図である。アンテナ１は、例えば、計器着陸装置（ＩＬＳ）のローカライザー装置のアンテナとして使用される。また、図２は、本実施形態の融雪機構付きアンテナ１のアンテナ素子部の断面構造を示す図である。アンテナ１を構成するアンテナ素子２は、アンテナカバーであるレドーム３により覆われている。アンテナ１は略平行に並べられた棒状のアンテナ素子２の列で構成され、レドーム３は各棒状のアンテナ素子２をそれぞれ覆う。
【００１１】
アンテナ素子２とレドーム３との間には、水供給配管６より供給される水７が注入される。さらに、注入された水７は、ノズル４から散布されることによって、レドーム３の表面に着雪した雪を融かして除雪を行う。
【００１２】
レドーム３は、繊維強化プラスチック（Ｆｉｂｅｒ  Ｒｅｉｎｆｏｒｃｅｄ  Ｐｌａｓｔｉｃｓ、ＦＲＰと略す）で形成することができる。レドーム３は、レドーム３とアンテナ素子２との間に有する水７を抜くためのドレイン５を有することができる。
【００１３】
ノズル４は、図２に示すように、アンテナ素子２よりも上側に設けることが好適である。すなわち、レドーム３の上側に設けることが好適である。また、これと組み合わせて、レドーム３の下側にもノズルを設けることもできる。また、さらに好適には、ノズル４は、図３に示すように、レドーム３の最上面にも設けることができる。これにより、アンテナ素子２を覆うレドーム３の表面の如何なる部分への着雪も、融雪し除雪することが可能である。
【００１４】
ノズル４は複数備えられ、それぞれのノズル４同士の間隔は、任意に設定することができる。例えば、積雪の多い地方向けにはノズル４同士の間隔を狭くし、散水効果を大きくすることができる。反対に、積雪の少ない地方向けにはノズル４同士の間隔を広くし、必要十分な散水効果を得るようにすることができる。
【００１５】
水７の散水量は、ノズルの調節により変えることができる。また、水７の散水量は、水供給配管６から供給する水７の供給量により変えることができる。また、ノズル４は、レドームの着雪した斜面に向けて指向性を持って散水するよう、設計することができる。これにより、着雪のあるレドーム３の表面に向けて、勢い良く散水することができ、除雪効果を高めることができる。
【００１６】
また、水７は温水とすることができる。水７を温水とすることで、気温の低い地域でも、効果的な融雪による除雪が可能となる。
【００１７】
また、水７を温水とすることにより、図３で多数設けたノズル４を省略し、レドーム３の形状を簡素にすることができる。図４に示すようにドレイン５をアンテナ素子２の端部などに設けることによって、レドーム表面に直接散水せずとも、温水１５の熱によりレドーム表面の温度を高め、着雪した雪を融雪して除雪することが可能である。
【００１８】
レドーム３の断面形状は、図２に示す円形に限定されない。すなわち、例えば、図５に示すような四辺形の断面形状のレドーム９とすることもできる。この場合、四辺形の面に着雪した雪を散布した水とともに落としやすくするために、図５に示す屋根のような斜面とする構成が好適である。四辺形の他に、三辺形や任意の多辺形とすることもできる。
【００１９】
また、レドーム３の表面には、着雪した雪を散布した水とともに落としやすくするために、水の流れを誘導する溝などの凹凸を形成することができる。
【００２０】
以上の本実施形態の融雪機構付きアンテナによれば、アンテナ素子に着雪した雪を、風などの気象の影響を受けずに万遍なく融雪し除雪することができ、ＩＬＳの安定した運用に資することができる。
【００２１】
本発明は上記実施形態に限定されることなく、特許請求の範囲に記載した発明の範囲内で、種々の変形が可能であり、それらも本発明の範囲内に含まれるものであることはいうまでもない。
【符号の説明】
【００２２】
１、１０    アンテナ
２、１１    アンテナ素子
３、９    レドーム
４、１３    ノズル
５    ドレイン
６    水供給配管
７、１４    水
１２    散水パイプ
１５    温水
【図１】
2014175915.tif 000003
【図２】
2014175915.tif 000004
【図３】
2014175915.tif 000005
【図４】
2014175915.tif 000006
【図５】
2014175915.tif 000007
【図６】
2014175915.tif 000008